(57)【要約】【課題】少量多品種の面光源ユニットに対して、早期に生産を立ち上げることが可能で且つ簡易な方法での製造により低コストで供給することができるサイドビュー型半導体発光装置を提供することにある。【解決手段】凹溝部１６と、凹溝部１６の側壁部１９の上端部から該凹溝部１６の底部２０に平行に延びる延長部２１と、延長部２１の適宜な位置で該延長部２１と直角に前記凹溝部１６側に折り曲げられた折曲部１８を有する金属ベース基板１１に、一対の配線パターン１４、１５が絶縁層を介して前記凹溝部１６の内底面２０ａから側壁部１９の内面１９ａ及び延長部２１を経て折曲部１８まで互いに所定の間隔を保って延設されてなる金属基板１０を形成し、凹溝部１６の内底面２０ａに半導体発光素子２を実装すると共に凹溝部１６内に封止樹脂２５を充填して半導体発光素子２を樹脂封止した。【選択図】図９
2015207626.tif 000002
【特許請求の範囲】
【請求項１】
凹部と、前記凹部の側壁部の上端部から該凹部の底部に平行に延びる延長部と、前記延長部の適宜な位置で該延長部と直角に前記凹部側に折り曲げられた折曲部を有する金属ベース基板に、複数の配線パターンが絶縁層を介して前記凹部の内底面から前記側壁部の内面及び前記延長部を経て前記折曲部まで互いに所定の間隔を保って延設されてなる金属基板と、
前記凹部の内底面に実装された半導体発光素子と、
前記凹部内に充填されて前記半導体発光素子を封止する封止樹脂と、を備えたことを特徴とするサイドビュー型半導体発光装置。
【請求項２】
前記複数の配線パターンの夫々は、前記凹部の内底面に位置して前記半導体発光素子の素子電極と電気的に接続されるボンディングパッドと、前記折曲部の前記延長部側に位置して基板実装時に実装基板に設けられた実装基板電極に電気的に接続される電極パッドと、前記折曲部の、前記電極パッドの位置に対して前記延長部と反対側に位置して基板実装時に転倒の防止を図る転倒防止パッドと、を有することを特徴とする請求項１に記載のサイドビュー型半導体発光装置。
【請求項３】
前記金属ベース基板は、アルミニウム等の延性、柔軟性を有する金属材料からなることを特徴とする請求項１又は請求項２に記載のサイドビュー型半導体発光装置。
【請求項４】
前記凹部は、凹溝状を有する凹溝部であることを特徴とする請求項１〜請求項３のいずれかに記載のサイドビュー型半導体発光装置。
【請求項５】
少なくとも前記凹部の内面の前記複数の配線パターン以外の部分は、前記絶縁層が除去されていることを特徴とする請求項１〜請求項４のいずれかに記載のサイドビュー型半導体発光装置。
【発明の詳細な説明】
【技術分野】
【０００１】
本発明は、サイドビュー型半導体発光装置に関するものであり、詳しくは、発光源に半導体発光素子を用いたサイドビュー型且つ表面実装型の発光装置に関する。
【背景技術】
【０００２】
従来、サイドビュー型半導体発光装置としては、例えば、特許文献１に「表面実装型発光装置」として図１４（概略正面図）及び図１５（部分断面側面図）に示す構成からなるものが開示されている。
【０００３】
それは、一側面方向に開口した光放出用凹部８１を有するパッケージ８０の該光放出用凹部８１の底部に一対のリード８２、８３の夫々の一端部側のボンディングパッド（ダイボンディングパッド８２ａ及びワイヤボンディングパッド８３ａ）が露出し、夫々の他端部側のはんだ接合用電極端子８２ｂ、８３ｂがパッケージ８０の側面側を経て底面側に回り込んでいる。
【０００４】
パッケージ８０の光放出用凹部８１の底部に露出したダイボンディングパッド８２ａ上には発光素子８４がダイボンディングされ、発光素子８４の上部に形成された一対の素子電極（図示せず）の夫々に一端部を接合された一対のボンディングワイヤの８５の他端部が、発光素子８４がダイボンディングされたリード８２及びワイヤボンディングパッド８３ａに接合されることにより、発光素子８４の一対の素子電極の夫々と一対のリード８２、８３の夫々が電気的に接続されている。パッケージ８０の光放出用凹部８１内には、蛍光物質８６を含有する透光性被覆部材８７が配置されている。
【０００５】
表面実装型発光装置（サイドビュー型発光装置）を上記構成とすることにより、パッケージ８０の側面部に位置する光放出用凹部８１とパッケージ８０の底面部に位置するはんだ接合用電極端子８２ｂ、８３ｂとが隣り合って配置される場合であっても、光放出用凹部８１が接合用電極端子８２ｂ、８３ｂから所定距離以上離れた位置に設けられるため、基板実装時に接合用電極端子８２ｂ、８３ｂのはんだ接続部付近の溶融したはんだが透光性被覆部材８５やそれに含まれる蛍光物質に接触することなく、溶融したはんだが光放出用凹部８１の内部に流れ込むことはない。したがって、透光性被覆部材８５を装着した状態で表面実装を支障なく行うことが可能になり、信頼性と量産性の向上を図ることが可能になる、とされている。
【先行技術文献】
【特許文献】
【０００６】
【特許文献１】特開２００５−２５２１６８号公報
【発明の概要】
【発明が解決しようとする課題】
【０００７】
ところで、上記特許文献１で開示された表面実装型発光装置（サイドビュー型発光装置）は、使用に際しては例えば、略平板状の導光板と共に面光源ユニットを構成する。
【０００８】
具体的には、図１６（面光源ユニットの断面図）にあるように、導光板９１の端面近部に該端面に光放出用凹部８１を向けた状態でサイドビュー型発光装置９０を実装基板９２上に配設し、サイドビュー型発光装置９０の光放出用凹部８１からの出射光を端面を入射面として導光板９１内に導入し、導光板９１内に導入された光を適宜な光路制御手段により光路制御して面方向に出射させるものである。
【０００９】
ところで、導光板９１は、面光源ユニットの用途、あるいは大きさや面輝度等の要求仕様よって必要な厚みが異なる。そのため、導光板９１に対する異なる厚み仕様に対しては、その厚み毎にパッケージ８０の設計が必要となり、量産化までに長いリードタイムを必要としていた。
【００１０】
また、パッケージ８０の外形寸法も異なるため、パッケージ８０を成形する金型やサイドビュー型発光装置９０の製造設備治具等も新規作製となり、その都度イニシアルコストが発生して製造コストを押し上げる。特に、試作段階や小ロットの面光源ユニットに用いられる場合は、要求される数（作製数）が少ないために製造コストの上昇は顕著なものとなる。
【００１１】
また、パッケージ８０が薄肉のプラスチックやセラミック等で形成される場合、面光源ユニットにおいて発光素子８４からの出射光が薄肉の部分を透過して上方に光漏れを生じ、導光板９１への導入効率（入射効率）の低下を招くことになる。
【００１２】
また、発光素子８４の発光時の発熱は、主に発光素子８４がダイボンディングされたリード８２を介して放散される。そのため、放熱性が良好と言えず、パッケージ８０の光放出用凹部８１内における熱蓄積の影響によって発光素子８４の発光効率が低く抑えられていた。
【００１３】
そこで、本発明は上記問題に鑑みて創案なされたもので、その目的とするところは、少量多品種の面光源ユニットに対して、早期に生産を立ち上げることが可能で且つ簡易な方法での製造により低コストで供給することができるサイドビュー型半導体発光装置を提供することにある。
【課題を解決するための手段】
【００１４】
上記課題を解決するために、本発明の請求項１に記載された発明は、凹部と、前記凹部の側壁部の上端部から該凹部の底部に平行に延びる延長部と、前記延長部の適宜な位置で該延長部と直角に前記凹部側に折り曲げられた折曲部を有する金属ベース基板に、複数の配線パターンが絶縁層を介して前記凹部の内底面から前記側壁部の内面及び前記延長部を経て前記折曲部まで互いに所定の間隔を保って延設されてなる金属基板と、前記凹部の内底面に実装された半導体発光素子と、前記凹部内に充填されて前記半導体発光素子を封止する封止樹脂と、を備えたことを特徴とするものである。
【００１５】
また、本発明の請求項２に記載された発明は、請求項１において、前記複数の配線パターンの夫々は、前記凹部の内底面に位置して前記半導体発光素子の素子電極と電気的に接続されるボンディングパッドと、前記折曲部の前記延長部側に位置して基板実装時に実装基板に設けられた実装基板電極に電気的に接続される電極パッドと、前記折曲部の、前記電極パッドの位置に対して前記延長部と反対側に位置して基板実装時に転倒の防止を図る転倒防止パッドと、を有することを特徴とするものである。
【００１６】
また、本発明の請求項３に記載された発明は、請求項１又は請求項２において、前記金属ベース基板は、アルミニウム等の延性、柔軟性を有する金属材料からなることを特徴とするものである。
【００１７】
また、本発明の請求項４に記載された発明は、請求項１〜請求項３のいずれかにおいて、前記凹部は、凹溝状を有する凹溝部であることを特徴とするものである。
【００１８】
また、本発明の請求項５に記載された発明は、請求項１〜請求項４のいずれかにおいて、少なくとも前記凹部の内面の前記複数の配線パターン以外の部分は、前記絶縁層が除去されていることを特徴とするものである。
【発明の効果】
【００１９】
本発明のサイドビュー型半導体発光装置は上述のように、凹部と、凹部の側壁部の上端部から該凹部の底部に平行に延びる延長部と、延長部の適宜な位置で該延長部と直角に前記凹部側に折り曲げられた折曲部を有する金属ベース基板に、複数の配線パターンが絶縁層を介して前記凹部の内底面から側壁部の内面及び延長部を経て前記折曲部まで互いに所定の間隔を保って延設されてなる金属基板を形成し、凹部の内底面に半導体発光素子を実装すると共に凹部内に封止樹脂を充填して半導体発光素子を樹脂封止した。
【００２０】
これにより、導光板の形状寸法が異なる少量多品種の面光源ユニットに対して、実装された半導体発光素子が樹脂封止されてなる金属基板を適宜な位置で折り曲げるだけで対応することができる。そのため、その都度パッケージの設計及び製造の必要がないために量産化までに長いリードタイムを必要とせず、新規の金型や製造設備治具等も必要としないために製造コストの上昇を招くことがない。
【００２１】
更に、半導体発光素子が実装された金属基板は全体がヒートシンクの役目も果たすため、半導体発光素子の発光時（点灯時）の発熱が効率良く放熱される。その結果、半導体発光素子の発光時の自己発熱による温度上昇を良好に抑制することができ、半導体発光素子の温度上昇に起因する半導体発光素子の発光効率の低減による発光光量の減少が抑えられると共に、同様に半導体発光素子の温度上昇に起因する半導体発光素子の劣化による素子寿命の短縮を抑制することが可能となる。
【図面の簡単な説明】
【００２２】
【図１】実施形態の発光装置に係わる製造方法の説明図である。
【図２】同じく、実施形態の発光装置に係わる製造方法の説明図である。
【図３】同じく、実施形態の発光装置に係わる製造方法の説明図である。
【図４】同じく、実施形態の発光装置に係わる製造方法の説明図である。
【図５】同じく、実施形態の発光装置に係わる製造方法の説明図である。
【図６】同じく、実施形態の発光装置に係わる製造方法の説明図である。
【図７】同じく、実施形態の発光装置に係わる製造方法の説明図である。
【図８】同じく、実施形態の発光装置に係わる製造方法の説明図である。
【図９】実施形態の発光装置の説明図である。
【図１０】発光装置を用いた面光源ユニットの構成図である。
【図１１】同じく、発光装置を用いた面光源ユニットの構成図である。
【図１２】発光装置の部分斜視図である。
【図１３】発光装置の部分断面図である。
【図１４】従来例の説明図である。
【図１５】同じく、従来例の説明図である。
【図１６】同じく、従来例の説明図である。
【発明を実施するための形態】
【００２３】
以下、この発明の好適な実施形態を図１〜図１３を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２４】
図１〜図８は、実施形態のサイドビュー型半導体発光装置（以下、「発光装置」と略称する）の製造方法（製造手順）の一例を示す説明図である。以下、図１〜図８を参照して発光装置の製造方法について順を追って説明する。なお、図１〜図８において、（ａ）は正面図であり、（ｂ）は側方から見た断面図である。
【００２５】
まず、基板の準備工程（図１参照）において、例えばアルミニウム等の延性、柔軟性を有する金属材料からなる平板状の金属ベース基板１１の一方の面の全面に亘って絶縁層（図示せず）を介して、例えば、銅箔からなる導電層１２を設けてなる金属基板１０を準備する。
【００２６】
次に、打ち抜き工程（図２参照）において、金属基板１０にプレスによる打ち抜き加工を施し、少なくとも、長さ方向に所定の間隔及び幅で且つ長さ方向に沿う、一方の端部から幅方向に所定の位置まで直線状に延びる貫通スリット１３を形成する。
【００２７】
次に、配線パターン形成工程（図３参照）において、金属金板１０の導電層１２にエッチング処理を施して所望の形状の多数個取り配線パターンを形成する。多数個取り配線パターンのうち、個々の発光装置に対応する領域に位置する配線パターンは一対からなり、一対の配線パターン１４、１５は、金属基板１０の長さ方向に沿う一方の端部側か他方の端部側に向かって幅方向に所定の間隔を保って略平行に延設されている。
【００２８】
一対の配線パターン１４、１５の夫々は、金属基板１０の長さ方向に沿う他方の端部側に位置する先端部にボンディングパッド（ワイヤボンディングパッド）１４ａ、１５ａが形成され、一方の端部側に位置する先端部に転倒防止パッド１４ｃ、１５ｃが形成されている。各配線パターン１４、１５の夫々のボンディングパッド１４ａ、１５ａと転倒防止パッド１４ｃ、１５ｃの間に電極パッド１４ｂ、１５ｂが形成されている。
【００２９】
次に、深絞り工程（図４参照）において、プレスによる深絞り加工を施して金属基板１０の長さ方向に沿う他方の端部側を、一対の配線パターン１４、１５の夫々のボンディングパッド１４ａ、１５ａが内底面に位置するように長さ方向に沿って配線パターン１４、１５と反対側に凹んだ凹溝状の凹溝部１６とする。
【００３０】
次に、半導体発光素子実装工程（図５参照）において、一対の配線パターン１４、１５の夫々のボンディングパッド１４ａ、１５ａの間に半導体発光素子２（以下、「発光素子」と略称する）をダイボンディングし、発光素子２の一対の上部電極（図示せず）の夫々とボンディングパッド１４ａ、１５ａの夫々とをボンディングワイヤ３で接続して互いの電気的導通を図る。
【００３１】
発光素子２は、発光色が異なる種々の素子が使用可能であるが、本実施形態においては青色発光の発光素子が用いられる。
【００３２】
次に、封止工程（図６参照）において、凹溝部１６に、透光性樹脂に蛍光体を混入・分散してなる蛍光体分散樹脂からなる封止樹脂２５を充填し、発光素子２及びボンディングワイヤ３を樹脂封止する。この場合、封止樹脂２５は発光素子２を水分、塵埃及びガス等の外部環境から保護し、且つボンディングワイヤ３を振動及び衝撃等の機械的応力から保護する。また、封止樹脂２５は発光素子２の光出射面とで界面を形成し、発光素子２の発光層から発せられた光を発光素子２の光出射面から封止樹脂２５内に効率良く出射させる機能も有している。
【００３３】
透光性樹脂に混入・分散される蛍光体は、黄色蛍光体を用いる。これにより、発光素子２から出射された青色光の一部と、発光素子２から出射された青色光の一部が黄色蛍光体を励起して波長変換された、青色光の補色となる黄色光との加法混色で白色光に近い色相の光を得ることができる。
【００３４】
また、黄色蛍光体の代わりに、発光素子２から出射された青色光に励起されて緑色光に波長変換する緑色蛍光体と赤色光に波長変換する赤色蛍光体との混合蛍光体を用い、発光素子２から出射された青色光の一部と、発光素子２から出射された青色光の一部が緑色蛍光体を励起することにより波長変換された緑色光と発光素子２から出射された青色光の一部が赤色蛍光体を励起することにより波長変換された赤色光との加法混色で白色光を得ることも可能である。
【００３５】
さらに、発光素子２からの出射光の波長と蛍光体の種類とを適宜に組み合わせることにより、白色光以外の種々な色相の光を得ることができる。
【００３６】
次に、折り曲げ加工（図７参照）において、凹溝部１６内に封止樹脂２５が充填されてなる金属基板１０にプレスによる折り曲げ加工を施し、凹溝部１６以外の平板部１７を適宜な位置で長さ方向に沿って凹溝部１６側に直角に折り曲げる。このとき、一対の配線パターン１４、１５は、夫々の転倒防止パッド１４ｃ、１５ｃ及び電極パッド１４ｂ、１５ｂが折曲部１８の外側に位置している。
【００３７】
次に、切断工程（図８参照）において、発光素子２が実装された凹溝部１６内に蛍光体分散樹脂からなる封止樹脂２５が充填され且つ折曲部１８を有する金属基板１０を、回転するダイサーブレード（図示せず）によって、貫通スリット１３の反対側から貫通スリット１３の延長線上に位置するダイシングライン３０に沿って貫通スリット１３の方向にダイシング（切断）する。これにより、個片化された複数の発光装置が得られる。
【００３８】
上記一連の製造工程を経て得られた発光装置１は図９（（ａ）正面図、（ｂ）側方から見た断面図）にあるように、金属ベース基板１１の一方の面上に絶縁層（図示せず）を介して一対の配線パターン１４、１５が形成されてなる金属基板１０と、金属基板１０上に実装された発光素子２と、発光素子２を封止する封止樹脂２５を備えている。
【００３９】
そのうち、金属基板１０は凹溝状に凹んだ凹溝部１６、凹溝部１６の一方の側壁部１９の上端部から凹溝部１６の底部２０に平行に延びる延長部２１及び延長部２１の適宜な位置で該延長部２１と直角に凹溝部１６側に折り曲げられた折曲部１８を有しており、凹溝部１６の底部２０の内底面２０ａから側壁部１９の内面１９ａ及び延長部２１を経て折曲部１８まで延びる一対の配線パターン１４、１５が所定の間隔を保って延設されている。
【００４０】
一対の配線パターン１４、１５の夫々は、凹溝部１６の底部２０の内底面２０ａの位置にボンディングパッド１４ａ、１５ａが形成され、折曲部１８の、凹溝部１６に近い側の位置に電極パッド１４ｂ、１５ｂが形成され、凹溝部１６に遠い側の位置に転倒防止パッド１４ｃ、１５ｃが形成されている。
【００４１】
そして、凹溝部１６の底部２０の内底面２０ａに発光素子２がダイボンディングされ、該発光素子２の一対の上部電極（図示せず）の夫々と一対のボンディングパッド１４ａ、１５ａの夫々がボンディングワイヤ３で電気的に接続されており、発光素子２及びボンディングワイヤ３が凹溝部１６内に充填された蛍光体分散樹脂からなる封止樹脂２５により樹脂封止されている。
【００４２】
上記構成の発光装置１は、使用に際しては例えば、略平板状の導光板と共に面光源ユニットを構成する。以下に、発光装置１を光源とする面光源ユニットの構成例を、図１０（面光源ユニットの構成図）を参照して説明する。
【００４３】
発光装置１は、発光装置実装基板４０上に、該発光装置１の折曲部１８を介して実装される。この場合、発光装置実装基板４０の、発光装置１が実装される側の面には予め配線パターンが形成されており、該配線パターンには発光装置１の実装時に発光装置１の、一対の配線パターン１４、１５の夫々の電極パッド１４ｂ、１５ｂ及び転倒防止パッド１４ｃ、１５ｃに対応する位置に電極接合パッド４１ｂ、４２ｂ及び転倒防止接合パッド４１ｃ、４２ｃが形成されている。
【００４４】
電極接合パッド４１ｂ、４２ｂ及び転倒防止接合パッド４１ｃ、４２ｃの夫々は、対応する電極パッド１４ｂ、１５ｂ及び転倒防止パッド１４ｃ、１５ｃの夫々よりも大きく形成されている。
【００４５】
そこで、発光装置実装基板４０の電極接合パッド４１ｂ、４２ｂ及び転倒防止接合パッド４１ｃ、４２ｃの夫々に発光装置１の電極パッド１４ｂ、１５ｂ及び転倒防止パッド１４ｃ、１５ｃの夫々をはんだ４５により接合（はんだ接合）することにより発光装置実装基板４０に発光装置１を実装する。
【００４６】
そして、導光板５０を、発光素子２の光出射方向に光入射面５０ａを対向させると共に、厚み方向の中心面上に発光素子２の中心軸Ｘが位置するように配置する。
【００４７】
この場合、発光装置実装基板４０と発光装置１とのはんだ接合は、リフロー方式の加熱によってはんだを溶融することにより行われる。その際、発光装置１の一対の配線パターン１４、１５の夫々に転倒防止パッド１４ｃ、１５ｃが形成されていないとすると発光装置実装基板４０に対して２箇所のはんだ接合部によって実装されることになり、発光装置実装基板４０の電極接合パッド４１ｂ、４２ｂの夫々と発光装置１の電極パッド１４ｂ、１５ｂの夫々を接合するはんだの溶融時の表面張力によって所謂マンハッタン現象が生じ、発光装置１が延長部２１と折曲部１８との境の折曲加工部２２を支点として封止樹脂２５が充填された凹溝部１６側に傾いたり或いは転倒したりする恐れがある。また、発光装置実装基板４０の面方向に対する位置或いは向きがずれる恐れもある。
【００４８】
そのため、発光装置実装基板４０に実装された発光装置１の光軸が所定の方向からずれ、発光装置１から出射した光を効率良く導光板に入射させることができない可能性がある。
【００４９】
それに対し、本発明の発光装置１のように、発光装置１の一対の配光パターン１４、１５の夫々において、電極パッド１４ｂ、１５ｂに加えて転倒防止パッド１４ｃ、１５ｃを形成することにより、発光装置実装基板４０に対して４箇所のはんだ接合部によって実装される。そのため、発光装置実装基板４０に実装された発光装置１が傾いたり或いは転倒したりすることがなく、発光装置実装基板４０の面方向に対する位置或いは向きがずれることもない。
【００５０】
その結果、発光装置実装基板４０に実装された発光装置１の光軸Ｘが確実に所定の方向を向くため、発光装置１から出射した光を効率良く導光板５０に入射させることができる。
【００５１】
なお、発光装置１の折曲部１８の形成は、金属基板１０の深絞り工程による凹溝部１６の形成、発光素子実装工程による凹溝部１６内への発光素子２の実装及び封止工程による凹溝部１６内への封止樹脂２５の充填の夫々の工程の、後工程の折り曲げ工程により形成される。
【００５２】
そのため、発光装置１を異なる寸法形状の導光体５０の光源として用いるために、発光装置実装基板４０の発光装置実装面に対する発光素子２の光軸Ｘの高さを変える必要がある場合は図１１（面光源ユニットの構成図）の直線で示した図にあるように、折り曲げ工程において適宜な位置で折り曲げるだけで延長部２１の長さが変えられ、それにより、光軸Ｘを導光板５０の厚み方向の中心面の位置に設定することができ、発光装置１から出射した光を効率良く導光板５０に入射させることが容易に可能となる。
【００５３】
なお、折曲加工部２２の形成範囲は(図６参照)、凹溝部１６の側壁部１９の上端部近傍から一対の配光パターン１４、１５の夫々の電極パッド１４ｂ、１５ｂの凹溝部１６側の端部よりも凹溝部１６側の範囲（Ａ）に限られる。同時に、貫通スリット１３は折曲加工部２２の形成範囲（Ａ）よりも凹溝部１６側に延びることが好ましい。換言すると、折曲加工部２２で折り曲げ後に延長部２１まで延長されていることが好ましい。
【００５４】
なお、発光素子２が実装された金属基板１０は全体がヒートシンクの役目も果たす。そのため、発光素子２の発光時（点灯時）の発熱が効率良く放熱される。その結果、発光素子２の発光時の自己発熱による温度上昇を良好に抑制することができ、発光素子２の温度上昇に起因する発光素子２の発光効率の低減による発光光量の減少が抑えられると共に、同様に発光素子２の温度上昇に起因する発光素子２の劣化による素子寿命の短縮を抑制することが可能となる。
【００５５】
ところで、延長部２１が長くなった場合、つまり、発光装置実装基板４０から凹溝部１６までの距離が長くなった場合、延長部２１と折曲部１８との直角の角度維持のために、図１２（部分斜視図）にあるように、延長部２１と折曲部１８との境に位置する折曲加工部２２の中央部を内側に凹ませて補強リブ部２３を設けることも有効である。リブ部２３の形成は折り曲げ加工の工程で行う。
【００５６】
なお、配線パターン形成工程において、エッチング処理によって不要な導電層１２が除去された後に残った絶縁層は、少なくとも凹溝部１６の内面において取り去り、金属ベース基板を１１を露出させることが好ましい。これにより、露出した金属ベース基板（本実施形態においてはアルミニウム基板）の鏡面が反射鏡として機能し、発光素子２からの出射光の利用効率を高めることができる。絶縁層は、例えばザグリ加工で取り除くことができる。
【００５７】
切断工程前の多数個取り金属基板１０は、必ずしも全てのダイシングライン３０でダイシング（切断）する必要はなく、適宜なダイシングライン３０を選択してダイシングすることにより、２連、３連等の多連の発光装置を得ることができる。
【００５８】
また、折り曲げ加工のし易さのため、且つ、折り曲げ加工後の応力集中を緩和して折曲安定性・信頼性を確保するために、図１３（部分断面図）に示すように、一対の配線パターン１４、１５が形成された折り曲げ部２４を折り曲げ方向側の面に薄肉化処理を施して薄肉部２６を形成することも可能である。
【００５９】
また、金属ベース基板１１が延性、柔軟性を有する金属材料からなるため、発光素子２が実装される凹溝部１６の形状を容易に種々の形状に形成することができる。そのため、種々の光学特性を容易に実現することができる。
【００６０】
なお、金属ベース基板１１から一対の配線パターン１４、１５の夫々が剥離することがないように、折り曲げ部の曲げＲを所定の大きさ以上の大きさに形成することも必要である。
【００６１】
以上のように、本発明の発光装置１は、導光板の形状寸法が異なる少量多品種の面光源ユニットに対して、実装された発光素子が樹脂封止されてなる金属基板を適宜な位置で折り曲げるだけで対応することができる。そのため、その都度パッケージの設計及び製造の必要がないために量産化までに長いリードタイムを必要とせず、新規の金型や製造設備治具等も必要としないために製造コストの上昇を招くことがない。
【符号の説明】
【００６２】
１…  サイドビュー型半導体発光装置
２…  半導体発光素子
３…  ボンディングワイヤ
１０…  金属基板
１１…  金属ベース基板
１２…  導電層
１３…  貫通スリット
１４…  配線パターン
１４ａ…  ボンディングパッド（ワイヤボンディングパッド）
１４ｂ…  電極パッド
１４ｃ…  転倒防止パッド
１５…  配線パターン
１５ａ…  ボンディングパッド（ワイヤボンディングパッド）
１５ｂ…  電極パッド
１５ｃ…  転倒防止パッド
１６…  凹溝部
１７…  平板部
１８…  折曲部
１９…  側壁部
１９ａ…  内面
２０…  底部
２０ａ…  内底面
２１…  延長部
２２…  折曲加工部
２３…  リブ部
２４…  折り曲げ部
２５…  封止樹脂
２６…  薄肉部
３０…  ダイシングライン
４０…  サイドビュー型半導体発光装置実装基板
４１ｂ…  電極接合パッド
４１ｃ…  転倒防止接合パッド
４２ｂ…  電極接合パッド
４２ｃ…  転倒防止接合パッド
４５…  はんだ
５０…  導光板
５０ａ…  光入射面
【図１】
2015207626.tif 000003
【図２】
2015207626.tif 000004
【図３】
2015207626.tif 000005
【図４】
2015207626.tif 000006
【図５】
2015207626.tif 000007
【図６】
2015207626.tif 000008
【図７】
2015207626.tif 000009
【図８】
2015207626.tif 000010
【図９】
2015207626.tif 000011
【図１０】
2015207626.tif 000012
【図１１】
2015207626.tif 000013
【図１２】
2015207626.tif 000014
【図１３】
2015207626.tif 000015
【図１４】
2015207626.tif 000016
【図１５】
2015207626.tif 000017
【図１６】
2015207626.tif 000018